(57)【要約】【課題】常温充填・加温販売用ボトルであって内容物の充填後内容物の自重により、パネル面が出っ張ることなく、しかも加温販売時には包装容器の外観を損なわない程度に、特に胴部に装着したラベルの一部を外方へ突出させて包装容器の外観を著しく損なうことのない程度に、パネルの形状を変化させて容器内の圧力の上昇を緩和する機能を有する包装容器を提供する。【解決手段】包装容器は、胴部に複数のパネル部を備え、各パネル部のパネル面は容器内方へ凹陥しており且つパネル部の中央部を縦方向にはしるリブを備える。リブは梁の役目をし常温充填した内容物の自重によりパネル部が飛び出すのを防止し、またホットウォーマーによる加温中に容器内の圧力が高まることによるパネル面の膨らみを、胴部に装着したラベルの一部を外方へ突出させて包装容器の外観を著しく損なうことのない程度に抑える。【選択図】  図３
2005008158.tif 000002
【特許請求の範囲】
【請求項１】
胴部に複数のパネル部を備え、各パネル部のパネル面は容器内方へ凹陥しており且つパネル部の中央部を縦方向にはしるリブを備えることを特徴とする加温販売に適した包装容器。
【請求項２】
リブの左右両側のパネル面領域はパネル部の周縁部からリブのほうへ向けて傾斜した湾曲面であることを特徴とする請求項１に記載の加温販売に適した包装容器。
【請求項３】
リブの左右両側のパネル面領域はパネル部の周縁部に段部を介して形成された、リブのほうへ向けて傾斜していない平坦面であることを特徴とする請求項１に記載の加温販売に適した包装容器。
【請求項４】
リブは断面Ｖ字型の容器内方へ凹陥する凹陥部であることを特徴とする請求項１乃至３の何れか一項に記載の加温販売に適した包装容器。
【請求項５】
リブは断面Ｖ字型の容器内方へ凹陥する凹陥部であることを特徴とする請求項１乃至３の何れか一項に記載の加温販売に適した包装容器。
【請求項６】
リブは断面台形型の容器内方へ凹陥する凹陥部であることを特徴とする請求項１乃至３の何れか一項に記載の加温販売に適した包装容器。
【請求項７】
パネル部を覆ってボトル胴部にラベルが装着されていることを特徴とする請求項１乃至６の何れか一項に記載の加温販売に適した包装容器。
【発明の詳細な説明】
【０００１】
【発明の属する技術分野】
本発明はホットウォーマーによる加温販売に適した包装容器に関する。
【０００２】
【従来の技術】
従来から、ポリエステル製二軸延伸ブロー成形ボトル等が、清涼飲料水、ジュース、コーヒー等の容器として広く用いられている。この容器への内容物の充填方法としては内容物を８５℃程度に加熱して殺菌と充填とを同時に行うホットパック充填方法と、容器内を予め殺菌した後常温の内容物を充填する常温充填方法がある。
【０００３】
ホットパック充填の場合、高温充填された内容物が冷めると内容物の減容により内部が減圧状態となり、その結果容器壁部が変形することがある。このような容器壁部の変形は容器全体の変化を招き、容器の商品価値を損なうことになる。
【０００４】
そこで、このような変形に対する対策として、容器壁部の一部のみを減容減圧による変形を行わせて容器全体の形状の変化を防止する構造、所謂減圧パネルが通常用いられており、また減圧パネルにリブを付けて剛性を持たせることも一般に行われている。
【０００５】
一方、常温充填に関しては内容物の自重によりパネル部が飛び出さないようにすることが必要であり、特許文献１にはパネル壁部にリブを設けることにより容器の剛性を高めることが記載されている。
【０００６】
【特許文献１】
実開平６−４４８０４号公報（第２欄第１３行乃至第３欄第２０行）
【０００７】
【発明が解決しようとする課題】
図１は、従来型の包装容器を示し、（Ａ）は側面図、（Ｂ）は図１（Ａ）図示Ａ−Ａ線矢視断面図である。この包装容器は、パネル部１に複数の、パネル面から突出したリブ２を備え、それによってパネル部１の剛性が横リブ２によって高められているものである。
【０００８】
しかし、このような従来のホットパック充填容器として用いられた包装容器がコンビニエンスストア等に設置されているホットウォーマー内において加温販売する包装容器として用いられる場合、加温中に内容物の温度が上昇し、容器内部の圧力が高まり、その結果パネル壁部が外へ出っ張り、図２に示すように外へ出っ張った変形横リブ２ａが形成される。そして、パネル部を覆ってラベル３が装着されている場合、変形横リブ２ａによってラベルの一部が外方へ突出される結果包装容器の外観が著しく損なわれる。
【０００９】
本発明の目的は、常温充填・加温販売用ボトルであって内容物の充填後内容物の自重により、パネル面が出っ張ることなく、しかも加温販売時には包装容器の外観を損なわない程度に、特に胴部に装着したラベルの一部を外方へ突出させて包装容器の外観を著しく損なうことのない程度に、パネルの形状を変化させて容器内の圧力の上昇を緩和する機能を有する包装容器を提供することである。
【００１０】
【課題を解決するための手段】
請求項１に記載の発明は、上記の課題を解決するもので、胴部に複数のパネル部を備え、各パネル部のパネル面は容器内方へ凹陥しており且つパネル部の中央部を縦方向にはしるリブを備えることを特徴とする加温販売に適した包装容器を要旨とする。
【００１１】
本発明において、リブは柱または梁の役目をして、常温充填した内容物の自重によりパネル部が飛び出すのを防止し、またホットウォーマーによる加温中に容器内の圧力が高まることによるパネル面の膨らみを、胴部に装着したラベルの一部を外方へ突出させて包装容器の外観を著しく損なうことのない程度に抑える作用をする。
【００１２】
本発明において、左右両側のパネル面領域はパネル部の周縁部からリブのほうへ向けて傾斜した湾曲面とするのが望ましい。これにより容器の内方へ傾斜した湾曲面を容器外方へ膨らませて内容積を変化させ、容器内の圧力の上昇を緩和することができる。
【００１３】
本発明において、リブの左右両側のパネル面領域はパネル部の周縁部に段部を介して形成された、リブのほうへ向けて傾斜していない平坦面に形成してもよい。これにより段部を介して胴部外周面よりも容器内方へ位置する平坦面を容器外方へ膨らませて内容積を変化させ、容器内の圧力の上昇を緩和することができる。
【００１４】
本発明において、リブは、断面Ｖ字型の容器内方へ凹陥する凹陥部、断面Ｕ字型の容器内方へ凹陥する凹陥部、または断面台形型の容器内方へ凹陥する凹陥部に形成することができる。
【００１５】
本発明の包装容器においては、パネル部を覆ってボトル胴部に例えばシュリンクフィルムからなるラベルを装着することができ、ホットウォーマーによる加温中にパネル面の形状変化があってもそれによってパネル部を覆うラベルの一部が突き出されるようなことはない。
【００１６】
本発明は、円筒型壜体、角筒型壜体等のいかなる形状の容器にも適用することが出来る。
【００１７】
【発明の実施の形態】
図３は本発明の包装容器を示し、（Ａ）は側面図、（Ｂ）は図３（Ａ）図示Ａ−Ａ線矢視略断面図である。
【００１８】
本発明の包装容器は、容器の胴部に複数のパネル部１を備え、各パネル部１のパネル面は容器内方へ凹陥しており且つパネル部１の中央部を縦方向にはしる断面Ｖ字型のリブ５を備える。
【００１９】
本発明において、リブ５は柱または梁の役目をして、常温充填した内容物の自重によりパネル部１が飛び出すのを防止し、またホットウォーマーによる加温中に容器内の圧力が高まることによるパネル面の膨らみを胴部に装着したラベルの一部を外方へ突出させて包装容器の外観を著しく損なうことのない程度に抑える作用をする。
【００２０】
本発明において、左右両側のパネル面領域は図３（Ｂ）に示すようにパネル部１の周縁部からリブ５のほうへ向けて傾斜した湾曲面４とするのが望ましい。これにより図４に示すように容器の内方へ傾斜した湾曲面４を容器外方へ膨らませて変形湾曲面４ａを形成し内容積を変化させて容器内の圧力の上昇を緩和することができる。
【００２１】
その場合、変形湾曲面４ａは、パネル部１を覆って装着されたラベル３にふれない程度に変形し、ラベル３を変形することはない。
【００２２】
図５は本発明の別の実施の形態を示す。この実施の形態においては、リブ５の左右両側のパネル面領域はパネル部１の周縁部に段部６を介して形成された、リブ５のほうへ向けて傾斜していない平坦面６に形成されている。これにより段部６を介して胴部外周面よりも容器内方へ位置する平坦面７を容器外方へ膨らませて内容積を変化させて容器内の圧力の上昇を緩和することができる。
【００２３】
本発明において、リブ５は、図３、図４に示すような断面Ｖ字型の容器内方へ凹陥する凹陥部のみならず、図６に示すように断面Ｕ字型の容器内方へ凹陥する凹陥部からなるリブ８、または図７に示すように断面台形型の容器内方へ凹陥する凹陥部からなるリブ９も適用することができる。
【００２４】
本発明は、図３に示すような円筒型壜体に限定されることなく、角筒型その他の形状の壜体にも適用することが出来る。
【００２５】
【発明の効果】
以上詳細に説明したように、本発明の包装容器は、容器の胴部に複数のパネル部を備え、各パネル部のパネル面は容器内方へ凹陥しており且つパネル部の中央部を縦方向にはしるリブを備えることを特徴とするものであり、リブは柱または梁の役目をして、常温充填した内容物の自重によりパネル部が飛び出すのを防止し、またホットウォーマーによる加温中に容器内の圧力が高まることによるパネル面の膨らみを、胴部に装着したラベルの一部を外方へ突出させて包装容器の外観を著しく損なうことのない程度に抑える作用をするものであり、常温充填・加温販売に適した包装容器である。
【図面の簡単な説明】
【図１】従来型の包装容器を示し、（Ａ）は側面図、（Ｂ）は図１（Ａ）図示Ａ−Ａ線矢視断面図である。
【図２】ホットウォーマーによる加温中に図１の包装容器のリブが容器外方へ突き出すように変形した状態をラベルと共に示す断面図である。
【図３】本発明の包装容器を示し、（Ａ）は側面図、（Ｂ）は図３（Ａ）図示Ａ−Ａ線矢視断面図である。
【図４】ホットウォーマーによる加温中に図３に示す本発明の包装容器のリブの変形状態をラベルと共に示す断面図である。
【図５】本発明の別の実施の形態を示す説明図図である。
【図６】本発明の更に別の実施の形態を示す説明図である。
【図７】本発明の更に別の実施の形態を示す説明図である。
【符号の説明】
１      パネル部
２      横リブ
２ａ    変形横リブ
３      ラベル
４      湾曲面
４ａ    変形湾曲面
５      リブ
６      段部
７      平坦面
８      リブ
９      リブ
【図１】
2005008158.tif 000003
【図２】
2005008158.tif 000004
【図３】
2005008158.tif 000005
【図４】
2005008158.tif 000006
【図５】
2005008158.tif 000007
【図６】
2005008158.tif 000008
【図７】
2005008158.tif 000009